(57)【要約】【課題】モルタル壁の開口部における隅角部周辺にひび割れが入り難く、かつ、簡単に実施できるモルタル壁構造を提供することである。【解決手段】開口部を有するモルタル壁の構造であって、前記開口部における隅角部周辺のモルタル壁表面に補強シートが貼着されてなる。【選択図】図１
2010265654.tif 000002
【特許請求の範囲】
【請求項１】
開口部を有するモルタル壁の構造であって、
前記開口部における隅角部周辺のモルタル壁表面に補強シートが貼着されてなる
ことを特徴とするモルタル壁構造。
【請求項２】
補強シートは光硬化型樹脂を用いて構成されてなる
ことを特徴とする請求項１のモルタル壁構造。
【請求項３】
補強シートが光透過可能に構成されてなる
ことを特徴とする請求項１又は請求項２のモルタル壁構造。
【請求項４】
光硬化型接着剤により補強シートが貼着されてなる
ことを特徴とする請求項１〜請求項３いずれかのモルタル壁構造。
【請求項５】
モルタル壁の開口部における隅角部周辺のモルタル壁表面に貼着される
ことを特徴とする補強シート。
【請求項６】
光硬化型樹脂を用いて構成されてなる
ことを特徴とする請求項５の補強シート。
【請求項７】
光透過可能に構成されてなる
ことを特徴とする請求項５又は請求項６の補強シート。
【請求項８】
モルタル壁の開口部における隅角部周辺のモルタル壁表面に、請求項５〜請求項７いずれかの補強シートを貼着する
ことを特徴とするモルタル壁構造の製造方法。
【発明の詳細な説明】
【技術分野】
【０００１】
本発明は、例えば軽量モルタル壁構造に関する。
【背景技術】
【０００２】
モルタル（コンクリート）製の壁は、その開口部における隅角部に、ひび割れが入り易い。この為、前記開口部の隅角部の壁内に補強用の金物や繊維ネットを埋設することが提案されている。
【先行技術文献】
【特許文献】
【０００３】
【特許文献１】特開昭６１−１９１７５１号公報
【特許文献２】特開昭５９−２１７８６１号公報
【発明の概要】
【発明が解決しようとする課題】
【０００４】
ところで、前記特許文献１，２の技術は、未だ、満足できるものでは無かった。
例えば、木造モルタル造の家に用いられている軽量モルタルは、一般的なモルタルやコンクリートに比べて、軽量で耐火性に優れているものの、強度が低い。この為、開口部における隅角部周辺の軽量モルタルに補強用金物や繊維ネットを埋設しても、前記隅角部周辺のモルタルにひび割れが入ることが多かった。
又、埋設を必須要件としたものであることから、作業性が劣る。すなわち、作業コストが高いものとなっている。
【０００５】
従って、本発明が解決しようとする課題は、モルタルが軽量モルタルであっても、モルタル壁の開口部における隅角部周辺にひび割れが入り難く、かつ、簡単に実施できるモルタル壁構造を提供することである。
【課題を解決するための手段】
【０００６】
前記の課題は、
開口部を有するモルタル壁の構造であって、
前記開口部における隅角部周辺のモルタル壁表面に補強シートが貼着されてなる
ことを特徴とするモルタル壁構造によって解決される。
【０００７】
特に、上記のモルタル壁構造であって、補強シートが光硬化型樹脂を用いて構成されてなることを特徴とするモルタル壁構造によって解決される。
【０００８】
又、上記のモルタル壁構造であって、補強シートが光透過可能に構成されてなることを特徴とするモルタル壁構造によって解決される。
【０００９】
又、上記のモルタル壁構造であって、補強シートが光硬化型接着剤により貼着されてなることを特徴とするモルタル壁構造によって解決される。
【００１０】
又、前記の課題は、
モルタル壁の開口部における隅角部周辺のモルタル壁表面に貼着される
ことを特徴とする補強シートによって解決される。
【００１１】
特に、上記の補強シートであって、該補強シートが光硬化型樹脂を用いて構成されてなることを特徴とする補強シートによって解決される。
【００１２】
特に、上記の補強シートであって、該補強シートが光透過可能に構成されてなることを特徴とする補強シートによって解決される。
【００１３】
又、前記の課題は、
モルタル壁の開口部における隅角部周辺のモルタル壁表面に、上記の補強シートを貼着する
ことを特徴とするモルタル壁構造の製造方法によって解決される。
【００１４】
特に、モルタル壁の開口部における隅角部周辺のモルタル壁表面に、接着剤を用いて、上記の補強シートを貼着する
ことを特徴とするモルタル壁構造の製造方法によって解決される。
【発明の効果】
【００１５】
ひび割れが起き難いモルタル壁が、モルタル壁の表面にシートを貼るのみの簡単な作業、かつ、低廉なコストで得られる。
その結果、耐久性が高い建物が低廉なコストで得られる。
【図面の簡単な説明】
【００１６】
【図１】本発明になる第１実施形態の軽量モルタル壁構造の概略図
【図２】本発明になる第２実施形態の軽量モルタル壁構造の概略図
【図３】本発明になる第３実施形態の軽量モルタル壁構造の概略図
【発明を実施するための形態】
【００１７】
第1の本発明はモルタル壁構造（中でも、軽量モルタル壁構造）である。特に、開口部を有するモルタル壁（中でも、軽量モルタル壁）の構造である。そして、前記開口部における隅角部周辺のモルタル壁表面に補強シートが貼着されたものである。前記補強シートは、好ましくは、光硬化型樹脂を用いて構成されたものである。又、好ましくは、光透過可能に構成されたものである。例えば、透過光／入射光が約１０％以上の透明材で構成されたシートであるとか、或いは透過光／入射光が約１０％以上の透明部を部分的に有するシートで構成されたものである。前記補強シートの貼着は接着剤を用いて行われる。好ましい接着剤として光硬化型接着剤が挙げられる。
【００１８】
第２の本発明は補強シートである。特に、モルタル壁（中でも、軽量モルタル壁）の開口部における隅角部周辺のモルタル壁表面に貼着される補強シートである。この補強シートは、好ましくは、光硬化型樹脂を用いて構成されたものである。又、好ましくは、光透過可能に構成されたものである。例えば、透過光／入射光が約１０％以上の透明材で構成されたシートであるとか、或いは透過光／入射光が約１０％以上の透明部を部分的に有するシートで構成されたものである。
【００１９】
第３の本発明はモルタル壁構造の製造方法（モルタル壁構築方法）である。そして、モルタル壁（中でも、軽量モルタル壁）の開口部における隅角部周辺のモルタル壁表面に、上記の補強シートを貼着する工程を具備する。特に、モルタル壁（中でも、軽量モルタル壁）の開口部における隅角部周辺のモルタル壁表面に、接着剤を用いて、上記の補強シートを貼着する工程を具備する。
【００２０】
以下、更に詳しく説明する。
【００２１】
本発明に用いられる補強シートは、樹脂、炭素、ガラス、金属、植物性繊維、動物性繊維等を、適宜、用いて構成できる。尚、軽量性と強度との観点から、樹脂製、炭素製又はガラス製のシートが好ましい。例えば、繊維強化樹脂シートは好ましいものである。特に、短時間に強固な補強シートを得ることが出来ることから、光硬化型樹脂を用いて補強シートを構成したものが好ましい。例えば、可視光や紫外線により硬化する光硬化型樹脂の層と繊維シート層（又は繊維メッシュ層）とが積層されてなる補強シートは好ましいものとして挙げられる。或いは、補強用の繊維の間（例えば、繊維シートにおける繊維間とか繊維メッシュにおけるメッシュ間）に光硬化型樹脂が含浸してなる補強シートも好ましいものとして挙げられる。すなわち、斯かる補強シートは軽量モルタルのひび割れ抑制効果が大きい。上記繊維シート（又は繊維メッシュ）を構成する繊維としては、例えばガラス繊維、炭素繊維、高密度ポリエチレン繊維やアラミド繊維などの有機繊維を用いることが出来る。又、Ａｌ等の軽金属の繊維を用いることも出来る。上記光硬化型樹脂は、一般的には、硬化性樹脂成分と光重合開始剤とを含む樹脂組成物で構成される。前記硬化性樹脂成分は、光重合開始剤が吸光により活性化されるに伴い、これによって重合・硬化する樹脂成分である。このような樹脂成分としては、例えば不飽和ポリエステル型、アクリル型、チオール・エン型、エポキシ型などの各種のものが知られている。例えば、光硬化型ビニルエステル樹脂、光硬化開始剤とエポキシアクリレート樹脂との混合物などが挙げられる。この他にも、テトラメチルキシリレンジイソシアネートを含むポリイソシアネートと、ポリオキシアルキレングリコールを含むポリオールと、活性水素及び（メタ）アクリロイル基を有するモノマーとを反応させて得られる末端に（メタ）アクリロイル基を有するウレタン（メタ）アクリレートオリゴマーと、このオリゴマーと相溶性のある（メタ）アクリレートモノマーと、光重合開始剤とを含む組成物からなる樹脂も挙げられる。尚、耐候性の点からはアクリル型のものは好ましいものである。
【００２２】
本発明における補強シートは、好ましくは、開口部の隅角部の形状に略合わせた形状のものである。すなわち、斯かる形状の補強シートは、目的箇所に効率よく貼り付けることが出来る。特に、開口部における隅角部の周辺にのみ、補強シートを効率良く貼り付けることが出来る。この結果、施工効率が良い。
【００２３】
本発明の補強シートは約１０ｃｍ２以上の大きさのものであることが好ましい。より好ましくは、２０ｃｍ２以上の大きさのものである。なぜならば、小さ過ぎると、ひび割れ抑制効果が小さいからである。上限値に格別な制約は無い。しかしながら、大きくなり過ぎると、貼着し難く、かつ、コストも高いものとなる。従って、２０００ｃｍ２以下の大きさのものが好ましい。
【００２４】
補強シートの貼着に用いられる接着剤は、好ましくは、光硬化型樹脂からなる接着剤（光硬化型接着剤）である。なぜならば、光照射で迅速に硬化することから、施工効率が良く、かつ、接着剤の硬化後に直ちにひび割れの発生を抑制できるからである。すなわち、上記補強シートを軽量モルタルに貼り付けるに際して、光硬化型接着剤を用いると、紫外線（又は可視光）の照射により、例えば１０〜４０分程度の短時間で貼り付けることができる。特に、光硬化型樹脂を用いて補強シートを構成すると共に、補強シートを軽量モルタルに貼り付けるに際しても光硬化型接着剤を用いた場合、紫外線（又は可視光）の照射により、例えば１０〜４０分程度の短時間で、補強シート（光硬化型樹脂シート）の硬化と貼着が同時に行えるので、より好ましい。尚、この場合、補強シートは、光透過可能に構成されていることを前提とする。すなわち、補強シートが遮光性のものになっていると、光硬化型接着剤に光照射が出来ないからである。尚、光硬化型接着剤以外の接着剤（即ち、非光硬化型接着剤）を用いることも出来る。例えば、２液型のエポキシ樹脂からなる接着剤、２液型ポリエステル樹脂からなる接着剤などが挙げられる。又、光硬化型接着剤と非光硬化型接着剤とを併用することも出来る。尚、補強シートが遮光性に構成されている場合には、熱硬化型接着剤と言った非光硬化型接着剤を用いる。
【００２５】
接着剤は貼着に際しては流動性を多少なりとも有する。例えば、粘度（以下、特に断らない限り２５℃の値）が３０００ｍＰａ・ｓの場合よりも高い流動性を有する接着剤は好ましい。なぜならば、斯かる特性の接着剤を軽量モルタルの表面に塗布した場合、軽量モルタルのポア（空孔）に接着剤が含浸し易い。そして、軽量モルタルの空孔に接着剤が含浸すると、軽量モルタルの強度が増し、モルタルにひび割れが起き難いものとなる。かつ、モルタル表面の平坦性が高まり、接着剤による補強シートの貼着性（接着性：一体性）が高まり、モルタルにひび割れが起き難いものとなる。尚、接着剤の流動性が高すぎると、塗布した際に、接着剤が垂れ落ち易いものとなる。従って、好ましくは、粘度が１０００ｍＰａ・ｓの場合よりも低い流動性を有する接着剤である。すなわち、粘度が１０００〜３０００ｍＰａ・ｓの接着剤は好ましい。尚、粘度が３０００ｍＰａ・ｓより小さな接着剤を、先ず、補強シートの貼着箇所の軽量モルタル表面に塗布・含浸させた後、この接着剤塗布表面上に粘度が１０００ｍＰａ・ｓより大きな接着剤を塗布し、そして補強シートを貼り付けるようにしても良い。このような場合には、最初に塗布する接着剤としては、接着剤が内部に入り込み、光照射が困難な為、非光硬化型接着剤を用いることが好ましい。そして、後から塗布する接着剤として、光硬化型接着剤を用いるのは好ましいことである。
【００２６】
本発明の開口部を有する軽量モルタル壁は、セメント、細骨材及び水が含まれる組成物を用いて構成される。
【００２７】
上記軽量モルタルに含有されるセメントは、例えば普通、早強、超早強、中庸熱、低熱ポルトランドセメント等のポルトランドセメント、高炉セメントやフライアッシュセメント等の混合セメント、アルミナセメント、急硬性セメント、超速硬セメント、或いは都市ゴミ焼却灰や下水汚泥焼却灰等の廃棄物を原料として利用したエコセメント等が挙げられる。これらの中の一種のセメントを用いることが出来る。勿論、二種以上のセメントを用いても良い。
【００２８】
上記軽量モルタルに含有される細骨材は、モルタルに使用可能な細骨材であれば限定されない。如何なるものでも良い。例えば、珪砂、石灰石砂、寒水石砂、砕砂、海砂、スラグ細骨材、人工軽量細骨材やパーライト等の無機質軽量細骨材、ポリエチレン粒やエチレン酢酸ビニル粒等の有機質軽量細骨材などを適宜用いることが出来る。
【００２９】
上記軽量モルタルには、セメント、細骨材及び水に加えて、本発明の効果を損なわない範囲で、モルタルやコンクリートに使用できる混和材料の１種又は２種以上を添加することができる。この混和材料としては、例えば高性能減水剤、高性能ＡＥ減水剤、ＡＥ減水剤、減水剤、流動化剤を含むセメント分散剤、セメント用ポリマー、膨張材（剤）、急結剤（材）、急硬剤（材）、収縮低減剤、顔料、撥水剤、防水材、表面硬化剤、保水剤、粘度調整剤、起泡剤、発泡剤、消泡剤、遅延剤、硬化促進剤、潜在性水硬性物質、石炭灰やシリカヒューム等のポゾラン反応性物質等が挙げられる。
【００３０】
上記軽量モルタルは、既往（公知）な製造方法を用いて製造できる。例えば、ミキサで混練することによって製造できる。尚、ミキサ混練になるものは、軽量モルタルの成分や物性が均一になるので好ましい。使用するミキサとしては、例えば左官ミキサ、強制練りコンクリートミキサ、万能ミキサ等が挙げられる。混練時に軽量モルタルに含まれる各材料を一度にミキサで混合しても良いし、事前に材料の一部をミキサで混合しても良い。尚、固形の材料は予め乾式混合されていると、混練時に短時間で均質に混合するので好ましい。
【００３１】
製造された軽量モルタルを壁面に適用する方法は常法によることが出来る。例えば、壁面の合板に防水シートをラス網と共にステイブルにより止め、その表面に軽量モルタルを鏝により塗り付ける方法は好適である。
【００３２】
尚、軽量モルタルと接着した補強シートの表面に、塗装や仕上げ材等の化粧層を設けることは美観の点から好ましい。又、セメントペーストやモルタル等を塗り付けることにより、軽量モルタル表面と接着した補強シート表面との段差を無くすことは美観の点から好ましい。
【００３３】
以下、具体的な実施例を挙げて本発明を説明する。
【００３４】
図１は本発明になる第１実施形態の軽量モルタル壁構造の概略図、図２は本発明になる第２実施形態の軽量モルタル壁構造の概略図、図３は本発明になる第３実施形態の軽量モルタル壁構造の概略図である。
【００３５】
各図中、１は軽量モルタル壁である。この軽量モルタル壁１には開口部２が設けられている。この開口部２は、適宜な形状のものであり、隅角部２ａを有する。尚、軽量モルタル壁１は、上記した軽量モルタル３で構成されている。
【００３６】
４は補強シートである。この補強シート４は上記した如きのものである。例えば、ガラス繊維シート中に光硬化型樹脂を含浸せしめて構成されたものである。そして、透光性を有する。大きさは２０〜２０００ｃｍ２程度のものである。形状は図１〜図３に示される通り、隅角部２ａの形状に沿った形状部４ａを有する。従って、隅角部２ａに沿って軽量モルタル表面に補強シート４を簡単に貼着できるようになっている。尚、隅角部２ａの形状に沿った形状部４ａ以外の箇所での形状は適宜なものである。例えば、円弧状であるとか、「状であるとか、矢羽根状であるとか、種々の形状である。
【００３７】
補強シート４は、上記した手法で軽量モルタル表面に貼着される。例えば、光硬化型接着剤を軽量モルタル表面に塗布し、そしてこの塗布箇所に補強シート４を貼り、この後で光照射することで、補強シート４が軽量モルタル表面に強く固着された。
【符号の説明】
【００３８】
１      軽量モルタル壁
２      開口部
３      軽量モルタル
４      光硬化型樹脂シート（補強シート）
【図１】
2010265654.tif 000003
【図２】
2010265654.tif 000004
【図３】
2010265654.tif 000005